(57)【要約】【課題】浮袋などに簡便に空気を入れることのできる小型で低コストの空気注入器および空気を送給する方法を提供すること。【解決手段】胴部１１と、胴部１１の一端面側から突出して設けられたノズル部１２と、胴部１１の外周面よりも径の大きいつば部１３と、胴部１１とノズル部１２とを貫通して設けられた送給穴１４とを有する。胴部１１の形状として、外周面の断面が外方に膨らんだ滑らかな曲線からなる形状が用いられる。胴部１１の一端面側に近い外周面またはつば部１３に、バンドを係止するための突起１５が設けられる。【選択図】図１
2017160837.tif 000002
【特許請求の範囲】
【請求項１】
胴部と、
前記胴部の一端面側から突出して設けられたノズル部と、
前記胴部の外周面よりも径の大きいつば部と、
前記胴部と前記ノズル部とを貫通して設けられた送給穴と、
を有することを特徴とする空気注入器。
【請求項２】
前記胴部は、外周面の断面が外方に膨らんだ滑らかな曲線からなる形状である、
請求項１記載の空気注入器。
【請求項３】
前記胴部の前記一端面側に近い外周面または前記つば部に、バンドを係止するための突起が設けられている、
請求項１または２記載の空気注入器。
【請求項４】
前記つば部は、前記胴部の一端面側に設けられた上つば部と、前記胴部の他端面側に設けられた下つば部とを有する、
請求項１ないし３のいずれかに記載の空気注入器。
【請求項５】
前記送給穴は、前記ノズル部の先端部から前記胴部の他端面側に向かって径が大きくなっている、
請求項１ないし４のいずれかに記載の空気注入器。
【請求項６】
前記ノズル部は、
その外周面の断面が円形であり、
先端部と、
基部と、
前記先端部と前記基部との間にあって前記先端部側から前記基部側に向かって径が大きくなるテーパ部と、
前記テーパ部の前記基部に近い側において径小に形成された環状溝部と、
を有する、
請求項１ないし５のいずれかに記載の空気注入器。
【請求項７】
前記ノズル部の先端部は、半球形状であり、
前記送給穴は、前記先端部において直径方向に延びて周面に開口している、
請求項６記載の空気注入器。
【請求項８】
請求項２ないし７のいずれかに記載の空気注入器と、
ゴムバンドと、
袋体と、を含む、
ことを特徴とする空気注入器セット。
【請求項９】
対象物に空気を送給する方法であって、
胴部と前記胴部の一端面側から突出したノズル部とこれらの内部を貫通する送給穴とを有した空気注入器を用い、
開口部を有した袋体の一部においてその内側から外側に向かって前記空気注入器の前記ノズル部を貫通させ、
前記袋体の上から前記胴部にバンドを巻き付けて当該袋体の一部を前記胴部に密着させて固定し、
前記ノズル部を前記対象物の受入れ口に差し込み、
前記袋体が膨らんで空気が入った状態で前記開口部を絞って閉じ、その状態で前記袋体を圧迫することにより、前記袋体の中の空気を前記送給穴を介して前記対象物の前記受入れ口に送給する、
ことを特徴とする対象物に空気を送給する方法。
【発明の詳細な説明】
【技術分野】
【０００１】
本発明は、浮袋またはエアマットなどの対象物に空気を送給するための空気注入器、空気注入器セット、および空気を送給する方法に関する。
【背景技術】
【０００２】
従来より、浮袋またはエアマットなどに空気を注入するために、足踏み式または電動式のポンプや空気入れがしばしば用いられる。
【０００３】
特許文献１には、浮袋やエアマットの中に足踏み式のエアポンプを内蔵することが開示されている。
【０００４】
特許文献２には、開口部を有した円筒状の袋の一部にホース接続部を設けておき、このホース接続部にホースを着脱可能に接続し、ホースの先端に設けたノズルから空気を送り込むようにした空気入れが開示されている。開口部を閉じて体重をかけて袋を圧縮し、ホースの先端のノズルから浮袋などに空気を送り込んで注入する。
【０００５】
特許文献３には、特許文献２と同様な袋の内側に板を設け、この板を軸として袋を巻き込んで押しつぶして空気を入れることが開示されている。
【先行技術文献】
【特許文献】
【０００６】
【特許文献１】特開２００４−２１６０４６号公報
【特許文献２】実用新案登録第３０２５５３４号公報
【特許文献３】実用新案登録第３１０３１０８号公報
【発明の概要】
【発明が解決しようとする課題】
【０００７】
上に述べた従来の空気入れの器具または方法では、装置が大がかりであり、浮袋などに簡便に空気を入れることができない。
【０００８】
すなわち、特許文献１の浮袋では、それぞれの浮袋にエアポンプを内蔵する必要があり、浮袋の製造コストが高くつくとともに、浮袋を畳んだときの体積および重量が大きくなって運搬および保管に不利である。また、当然のことながら、エアポンプを内蔵していない浮袋では空気を入れるのが容易ではなかった。
【０００９】
また、特許文献２の空気入れでは、ホース接続部を設けた袋およびホースを準備しておく必要があり、これらの製造コストが高くつくとともに、部品点数が増えて嵩張るため持ち運びに必ずしも有利であるとはいえない。
【００１０】
また、特許文献３の空気入れでは、特許文献２と同様の問題があるとともに、袋の内側に設けた板が嵩張るため運搬および保管がやはり不利になるという問題があった。
【００１１】
本発明は、上述の問題に鑑みてなされたもので、浮袋などに簡便に空気を入れることのできる小型で低コストの空気注入器および空気を送給する方法を提供することを目的とする。
【課題を解決するための手段】
【００１２】
本発明の一実施形態に係る空気注入器は、胴部と、前記胴部の一端面側から突出して設けられたノズル部と、前記胴部の外周面よりも径の大きいつば部と、前記胴部と前記ノズル部とを貫通して設けられた送給穴と、を有する。
【００１３】
好ましくは、前記胴部は、外周面の断面が外方に膨らんだ滑らかな曲線からなる形状である。例えば、円形または楕円形である。
【００１４】
また好ましくは、前記胴部の前記一端面側に近い外周面または前記つば部に、バンドを係止するための突起が設けられる。
【００１５】
また好ましくは、前記つば部は、前記胴部の一端面側に設けられた上つば部と、前記胴部の他端面側に設けられた下つば部とを有する、
また好ましくは、前記ノズル部は、その外周面の断面が円形であり、先端部と、基部と、前記先端部と前記基部との間にあって前記先端部側から前記基部側に向かって径が大きくなるテーパ部と、前記テーパ部の前記基部に近い側において径小に形成された環状溝部と、を有する、
また好ましくは、前記ノズル部の先端部は、半球形状であり、前記送給穴は、前記先端部において直径方向に延びて周面に開口している。
【００１６】
本発明の一実施形態に係る方法は、対象物に空気を送給する方法であって、胴部と前記胴部の一端面側から突出したノズル部とこれらの内部を貫通する送給穴とを有した空気注入器を用い、開口部を有した袋体の一部においてその内側から外側に向かって前記空気注入器の前記ノズル部を貫通させ、前記袋体の上から前記胴部にバンドを巻き付けて当該袋体の一部を前記胴部に密着させて固定し、前記ノズル部を前記対象物の受入れ口に差し込み、前記袋体が膨らんで空気が入った状態で前記開口部を絞って閉じ、その状態で前記袋体を圧迫することにより、前記袋体の中の空気を前記送給穴を介して前記対象物の前記受入れ口に送給する。
【発明の効果】
【００１７】
本発明によると、浮袋などに簡便に空気を入れることのできる小型で低コストの空気注入器および空気を送給する方法を提供することができる。
【図面の簡単な説明】
【００１８】
【図１】本発明の第１の実施形態の空気注入器の斜視図である。
【図２】第１の実施形態の空気注入器の外形を示す図である。
【図３】第１の実施形態の空気注入器の断面を示す図である。
【図４】第２の実施形態の空気注入器の斜視図である。
【図５】第２の実施形態の空気注入器の外形を示す図である。
【図６】第２の実施形態の空気注入器の断面を示す図である。
【図７】先端部の突き部の形状の他の例を示す図である。
【図８】空気注入器の形状の他の例を示す図である。
【図９】空気注入器を対象物に差し込んだ状態を示す断面図である。
【図１０】空気注入器を袋体に装着する操作を説明するための図である。
【図１１】空気注入器を用いて空気を入れる方法を説明するための図である。
【発明を実施するための形態】
【００１９】
〔第１の実施形態の空気注入器１〕
図１には本発明の第１の実施形態の空気注入器１の斜視図が、図２には空気注入器１の外形図が、図３には空気注入器１の断面図が、それぞれ示されている。
【００２０】
なお、図２（Ａ）は正面図、図２（Ｂ）は側面図、図２（Ｃ）は上面図、図２（Ｄ）は底面図である。空気注入器１の背面図は正面図と同じであり、右側面図と左側面図とは同じである。また、図３（Ａ）は図２（Ｂ）のＡ−Ａ線矢視断面図、図３（Ｂ）は図２（Ａ）のＢ−Ｂ線矢視断面図、図３（Ｃ）は図２（Ａ）のＣ−Ｃ線矢視端面図である。
【００２１】
図１〜図３において、空気注入器１は、胴部１１、ノズル部１２、つば部１３、送給穴１４などを有する。空気注入器１は、その全体が合成樹脂（合成ゴムを含む）の一体成形によって形成される。また、必要に応じて機械加工などを行っても形成してもよい。また、材料として、その全体または一部に木材または金属などを用いてもよい。
【００２２】
胴部１１は、概ね筒状に形成されている。外周面の断面が外方に膨らんだ滑らかな曲線からなる形状とするのが好ましい。このような形状とすることにより、後で説明するように袋体６０の上からゴムバンドＧＢを胴部１１に巻き付けたときに、袋体６０と胴部１１との間に隙間が生じることなく密着性（密封性）がよくなり、使用時に空気漏れが起こりにくい。
【００２３】
本実施形態において、胴部１１の外周面の断面は、直径が１０〜１５ｍｍ程度の円形である。胴部１１のサイズは種々の寸法とすることができる。例えば、小さいほどコンパクトとなって携帯に便利であり、人が手で持って操作（作業）し易い程度の大きさとすればよい。
【００２４】
ノズル部１２は、胴部１１の一端面側の中央から突出して設けられ、その外周面の断面が円形である。ノズル部１２は、先端部３１、テーパ部３２、環状溝部３３、基部３４、および基部溝部３５を有する。
【００２５】
先端部３１は、外径は長さ方向において変化がなく円筒状または丸棒状であり、その最先端に半球形状の突き部３１ａが設けられている。また、送給穴１４は、先端部３１において直径方向の両側に延びて周面の２ヵ所に開口し、開口部３１ｂとなっている。
【００２６】
テーパ部３２は、先端部３１と基部３４との間にあって先端部３１の側から基部３４の側に向かって径が大きくなっている。テーパ部３２は、後で説明するように対象物である浮袋５０の空気入れ口５１に差し込んだときに、空気入れ口５１の内周面との間で密着してシ−ルをするとともに、抜け難くするものである。したがって、テーパ部３２のサイズは、空気入れ口５１の、特に内周面のサイズ規格などに応じて適当なサイズとしておけばよい。
【００２７】
環状溝部３３は、テーパ部３２の基部３４に近い側において径小に形成されている。環状溝部３３は、浮袋５０の空気入れ口５１の端縁部５１ａがその弾力性によって入り込むことにより係合し、抜け難くするものである。
【００２８】
基部３４は、テーパ部３２と同様にその外周面がテーパ状となっており、基部溝部３５を介して胴部１１の端面１１１と接続する。基部３４は、テーパ部３２の延長部分とすることも可能であり、その場合には、テーパ部３２の長さ方向の途中に環状溝部３３が設けられることとなる。なお、基部３４の外周面をテーパ状ではなく円筒状としてもよい。
【００２９】
基部溝部３５は、ノズル部１２を胴部１１と接続するに必要な強度のサイズとしておけばよい。基部溝部３５は、後で説明するように、ここにゴムバンドＧＢを引っ掛けることができる。
【００３０】
つば部１３は、胴部１１の一端面側に設けられた上つば部１３ａ、胴部１１の他端面側に設けられた下つば部１３ｂを有する。これらつば部１３ａ，ｂは、その外周面が、胴部１１の外周面よりも径の大きい円形となっている。
【００３１】
上つば部１３ａの外周面には、円周上の互いに１８０°の角度をなす位置に、ゴムバンドＧＢを係止するための略円柱状の突起１５ａ，１５ｂが設けられている。なお、ゴムバンドＧＢは、これら２つの突起１５ａ，１５ｂの両方または一方を適当に利用し、後で説明するように袋体の上から胴部１１に巻き付けて袋体の一部を胴部１１に密着させて固定する。その際に、ゴムバンドＧＢを係止するために、ノズル部１２、特にその基部溝部３５を利用することも可能である。
【００３２】
なお、突起１５ａ，１５ｂを２つ設けたが、１つでもよい。また、突起１５ａ，１５ｂをつば部１３ａの外周面に設けたが、端面１１１に設けてもよい。また、突起１５ａ，１５ｂを省略することも可能である。
【００３３】
また、端面１１１は、袋体に取り付けて使用するときに、空気注入器１が空気圧によって袋体から抜け出て脱落しないように袋体に係合するストッパとしての機能を有する。上つば部１３ａの外周面を胴部１１の外周面よりも大きくしたことによって、ストッパとしての機能が向上する。また、突起１５ａ，１５ｂの存在によって、ストッパとしての機能が向上する。さらに、ゴムバンドＧＢを突起１５ａ，１５ｂに係止させまたは巻き付けることによって、ストッパとしての機能はさらに向上する。
【００３４】
下つば部１３ｂは、上つば部１３ａの端面１１１と同様に、空気注入器１が袋体から脱落しないようにストッパとしての機能を有する。つまり、ゴムバンドＧＢを袋体の上から胴部１１に巻き付けることによって、もし胴部１１が袋体から抜け出ようとした場合にはゴムバンドＧＢが下つば部１３ｂの内端面に当たって係止されることとなる。
【００３５】
また、上つば部１３ａと下つば部１３ｂとを設けたので、巻き付けたゴムバンドＧＢおよびゴムバンドＧＢで押さえつけられた袋体６０が胴部１１の外方へずれることがない。      
【００３６】
送給穴１４は、胴部１１とノズル部１２とを貫通して設けられる。送給穴１４は、ノズル部１２の先端部３１から胴部１１の他端面１１２の側に向かって径が大きくなっている。つまり、送給穴１４は、この実施形態では、先端部３１、テーパ部３２、および環状溝部３３の部分は互いに同じ径であり、基部３４から他端面１１２に向かって円錐台状に拡がる孔となっている。したがって、他端面１１２の側から先端部３１の開口部３１ｂに向けて空気の流通が容易である。
【００３７】
なお、上の例では先端部３１の突き部３１ａを半球形状としたが、完全な半球形状でなく、適当に変形していてもよい。また、図７（Ａ）に示すように円錐形状としてもよく、図７（Ｂ）に示すように円錐台形状としてもよい。また、角錐形状または角錐台形状としてもよい。
〔第２の実施形態の空気注入器１Ｂ〕
図４には本発明の第２の実施形態の空気注入器１Ｂの斜視図が、図５には空気注入器１Ｂの外形図が、図６には空気注入器１Ｂの断面図が、それぞれ示されている。
【００３８】
なお、図５（Ａ）は正面図、図５（Ｂ）は側面図、図５（Ｃ）は上面図、図５（Ｄ）は底面図である。空気注入器１Ｂの背面図は正面図と同じであり、右側面図と左側面図とは同じである。また、図６（Ａ）は図５（Ｂ）のＡ−Ａ線矢視断面図、図６（Ｂ）は図５（Ａ）のＢ−Ｂ線矢視断面図、図６（Ｃ）は図５（Ａ）のＣ−Ｃ線矢視端面図である。
【００３９】
図４〜図６において、空気注入器１Ｂは、基本的な構成は上に述べた空気注入器１と同じであるので、同様な構成要素については空気注入器１と同じ符合を付し、ここでは相違点のみを説明する。
【００４０】
第１の実施形態の空気注入器１では胴部１１の外周面の断面は円形であったが、第２の実施形態の空気注入器１Ｂでは、胴部１１Ｂの外周面の断面は楕円形である。また、上つば部１３Ｂａおよび下つば部１３Ｂｂの外周面の断面も胴部１１Ｂと相似の楕円形である。
【００４１】
胴部１１Ｂの外周面を楕円形とすることによって、空気注入器１Ｂの使用に際して空気注入器１Ｂを人が指で持ちやすくなる。つまり、空気注入器１Ｂを手で持って操作するには、胴部１１Ｂおよびつば部１３Ｂをある程度の大きさのものとする必要があるが、大きくするほど空気圧を受ける面積（受圧面積）が大きくなり、袋体から空気注入器１Ｂが抜け易くなる。胴部１１Ｂおよびつば部１３Ｂの外周面を楕円形とすることによって、受圧面積を小さくしながらも操作し易い大きさとすることができる。
【００４２】
上に述べた例では、胴部１１，１１Ｂの外周面が円形または楕円形であったが、多角形状としてもよい。例えば、五角形、六角形、八角形の形状としてもよい。この場合でも、表面が平面ではあるが凹部がないので、ゴムバンドＧＢを巻き付けることによって袋体６０と胴部１１との間の密着性が良好である。
【００４３】
また、胴部の形状を鼓形状としてもよい。つまり、図８（Ａ）に示すように、空気注入器１Ｃは、鼓形状の胴部１１Ｃ、先端部３１Ｃおよびテーパ部３２Ｃを有するノズル部１２Ｃ、および、円形のつば部１３Ｃａ，ｂなどを有する。胴部１１Ｃは、径の大きさが軸方向に連続的に変化している。鼓形状の胴部１１Ｃの両端部が中央部よりも径が大きくなっているので、胴部１１Ｃそれ自体によって、巻き付けたゴムバンドＧＢおよび袋体６０が胴部１１Ｃの外方へずれることがない。したがって、つば部１３Ｃａ，ｂを別途設けるのを省略することができる。また、つば部１３Ｃａ，ｂは胴部１１Ｃの一部であると見なすこともできる。
【００４４】
また、図８（Ｂ）に示すように、空気注入器１Ｄの形状として、胴部１１Ｄにテーパ部１１Ｄａを設けてもよい。また、胴部１１Ｄの軸方向の中央部につば部１３Ｄｃを設けてもよい。なお、ノズル部１２Ｄは、先端部３１Ｄからテーパ部３２Ｄまで同じテーパを有し、送給穴１４Ｄは先端に開口している。
〔空気注入器の使用方法〕
次に、空気注入器１，１Ｂの使用方法、つまり空気注入器１，１Ｂを用いて対象物である浮袋５０に空気を送給する方法について説明する。なお、空気注入器１，１Ｂの使用方法は同じであるので、空気注入器１についてのみ説明する。
【００４５】
図９には空気注入器１を対象物である浮袋５０の空気入れ口５１に差し込んだ状態を示す断面図が、図１０には空気注入器１を袋体６０に装着する操作を説明するための図が、図１１には空気注入器１を用いて空気を入れる方法を説明するための図が、それぞれ示されている。
【００４６】
空気注入器１の使用に際して、ゴムバンドＧＢおよび袋体６０を準備する。ゴムバンドＧＢとして、市販の通常の輪状のゴムバンドを用いることができる。また、袋体６０として、ポリエチレンまたはビニールなどからなるごみ袋または買物袋（ショッピングバッグ）などを用いることができる。袋体６０の大きさは種々のものを用いることが可能であるが、例えば、一辺が４０〜７０ｃｍ程度のものが使い易い。ポリエチレン製のものが丈夫で使い易い。これらは市販されており、容易に安価に入手可能であり、使い捨てが可能である。
【００４７】
したがって、空気注入器１、袋体６０、およびゴムバンドＧＢは、対象物に空気を送給するために必要であり、これらを空気注入器セットとして用意しておけば一層便利である。このような袋体６０は小さく折り畳むことができるので、嵩張ることなく、軽量であり、携帯に便利である。
【００４８】
次に、空気注入器１を浮袋５０の空気入れ口５１に差し込んだ状態について説明する。
【００４９】
図９に示すように、浮袋５０の空気入れ口５１を引出し、栓５２を外した状態で、空気注入器１のノズル部１２を空気入れ口５１に差し込む。ノズル部１２は、空気入れ口５１の弾力性に抗して内周面を拡径しながら挿入され、その先端部３１の突き部３１ａがチェック弁５３を押して開状態にする。このとき、空気入れ口５１の端縁部５１ａがその弾力性によって環状溝部３３に入り込むことにより係合し、一層抜け難くなる。これにより、浮袋５０への空気注入器１の装着が完了する。
【００５０】
つまり、ノズル部１２の長さおよび外形などは、このような操作が行えるよう、空気入れ口５１の長さ、内径、およびチェック弁５３の位置などに応じて適当な寸法とされている。
【００５１】
次に、図１０に示すように、袋体６０の開口部６１から空気注入器１を入れ、袋体６０の一部、例えば袋体６０の底部、好ましくはその角部において、袋体６０の内側から外側に向かって空気注入器１のノズル部１２を押して袋体６０を破り、ノズル部１２を貫通させる（図１０（Ａ）（Ｂ））。
【００５２】
このとき、ノズル部１２の突き部３１ａが鋭い形状である方が袋体６０を貫通させ易い。しかし、あまり鋭い形状であると誤って怪我をすることがあるので、球状など適度な鋭さとしておけばよい。また、袋体６０の角部を鋏などで切って小さな孔を作り、そこへノズル部１２を差し込んでもよい。
【００５３】
そして、図１０（Ｃ）に示すように、袋体６０の上から胴部１１にゴムバンドＧＢを巻き付けて、袋体６０の一部を胴部１１に密着させて固定する。このとき、突起１５ａ，１５ｂおよびノズル部１２を利用してゴムバンドＧＢを巻き付ければよい。また、突起１５ａ，１５ｂおよびノズル部１２を利用することなく、ゴムバンドＧＢを何重にも胴部１１に巻き付けてもよい。これによって、図１１（Ａ）に示す状態となる。
【００５４】
そして、図９で説明したように、ノズル部１２を浮袋５０の空気入れ口５１に差し込む。次に、袋体６０が膨らんで空気が入った状態とし、図１１（Ｂ）に示すように開口部６１を手で絞って閉じ、その状態で袋体６０を手や体などで圧迫することにより、袋体６０の中の空気を空気注入器１の送給穴１４を介して浮袋５０の空気入れ口５１に送給する。袋体６０の一回の圧迫で十分に空気が入らなかった場合には、袋体６０を拡げて空気を入れ、同様な操作を繰り返す。これによって浮袋５０に空気が入る。
【００５５】
このように、本実施形態の空気注入器１，１Ｂによる場合は、容易に入手可能であり身近にある袋体６０およびゴムバンドＧＢを用いることにより、浮袋５０などの対象物に簡便に空気を入れることができる。
【００５６】
袋体６０およびゴムバンドＧＢは容易に入手可能であるから、空気注入器１，１Ｂのみを持ち運ぶことによって、どこでも対象物に簡便に空気を入れることができる。空気注入器１，１Ｂは極めて小型であるから運搬または携帯に便利である。空気注入器１，１Ｂは構造が簡単であり、合成樹脂などによる一体成型が可能であるから、低コストで量産することができる。
【００５７】
上に述べた実施形態において、ゴムバンドＧＢに代えて、樹脂バンド、針金、または針金入りの樹脂バンドなどを用いてもよい。
【００５８】
上に述べた実施形態において、胴部１１，１１Ｂ，１１Ｃ，１１Ｄ、ノズル部１２、つば部１３，１３Ｂ，１３Ｃ，１３Ｄ、送給穴１４、突起１５ａ，１５ｂ、突き部３１ａ、または空気注入器１，１Ｂ，１Ｃ，１Ｄの各部または全体の構成、構造、形状、寸法、材質、個数、配置などは、本発明の主旨に沿って適宜変更することができる。
【符号の説明】
【００５９】
１，１Ｂ，１Ｃ，１Ｄ  空気注入器
１１，１１Ｂ，１１Ｃ，１１Ｄ  胴部
１１１  端面（一端面）
１１２  他端面
１２  ノズル部
１３，１３Ｂ，１３Ｃ，１３Ｄ  つば部
１３ａ，１３Ｂａ  上つば部
１３ｂ，１３Ｂｂ  下つば部
１４  送給穴
１５ａ，１５ｂ  突起
３１  先端部
３１ａ  突き部
３２  テーパ部
３３  環状溝部
３４  基部
５０  浮袋（対象物）
５１  受入れ口
６０  袋体
ＧＢ  ゴムバンド（バンド）
【図１】
2017160837.tif 000003
【図２】
2017160837.tif 000004
【図３】
2017160837.tif 000005
【図４】
2017160837.tif 000006
【図５】
2017160837.tif 000007
【図６】
2017160837.tif 000008
【図７】
2017160837.tif 000009
【図８】
2017160837.tif 000010
【図９】
2017160837.tif 000011
【図１０】
2017160837.tif 000012
【図１１】
2017160837.tif 000013